(57)【要約】【課題】無線通信システムにおいて２つ以上の共通物理チャネルを介して１対多マルチメディアサービスを１つ以上のユーザー機器（ＵＥ）に提供するための方法及び装置を提供する。【解決手段】無線ネットワークは多重コードを用いる複数の物理チャネルを介して１対多マルチメディアサービスを転送する。ユーザー機器（ＵＥ）は、前記無線ネットワークから制御チャネルを介して多重チャネルコード情報を受信し、該受信した多重チャネルコード情報を用いて複数の物理チャネルを構成し、該構成された物理チャネルを介して前記１対多マルチメディアサービスを受信する。【選択図】図７
2008530895.tif 000002
【特許請求の範囲】
【請求項１】
移動通信システムにおいて少なくとも１つの移動通信端末に１対多（ｐｏｉｎｔ−ｔｏ−ｍｕｌｔｉｐｏｉｎｔ）サービスを提供する方法であって、
ネットワークで少なくとも２つの多重コード物理チャネルを構成し、前記少なくとも２つの多重コード物理チャネルを介して前記１対多サービスデータの転送と関連した多重チャネルコード情報を前記少なくとも１つの移動通信端末に転送する段階と、
前記少なくとも１つの移動通信端末で前記多重チャネルコード情報を用いて少なくとも２つの物理チャネルを構成する段階と、
前記ネットワークで前記１対多サービスデータを前記少なくとも２つの多重コード物理チャネルを介して転送する段階と、
前記少なくとも１つの移動通信端末で前記１対多サービスデータを前記少なくとも２つの多重コード物理チャネルを介して受信する段階と、
を含む、１対多サービス提供方法。
【請求項２】
前記少なくとも１つの移動通信端末が、前記少なくとも２つの多重コード物理チャネルを介して受信した１対多サービスデータを結合する段階をさらに含む、請求項１に記載の１対多サービス提供方法。
【請求項３】
前記ネットワークで前記少なくとも２つの多重コード物理チャネルのうちの特定の１つを通して制御情報を前記少なくとも１つの移動通信端末に転送する段階と、
前記少なくとも１つの移動通信端末で前記制御情報を用いて前記１対多サービスデータを受信する段階と、
をさらに含む、請求項１に記載の１対多サービス提供方法。
【請求項４】
前記制御情報は、転送フォーマット組合せ指示子（ＴＦＣＩ：Ｔｒａｎｓｐｏｒｔ  Ｆｏｒｍａｔ  Ｃｏｍｂｉｎａｔｉｏｎ  Ｉｎｄｉｃａｔｏｒ）を含む、請求項３に記載の１対多サービス提供方法。
【請求項５】
前記ネットワークで前記少なくとも２つの多重コード物理チャネルのうちの前記特定１つを通して前記少なくとも１つの移動通信端末にパイロット（ｐｉｌｏｔ）信号を転送する段階をさらに含む、請求項３に記載の１対多サービス提供方法。
【請求項６】
前記ネットワークで前記多重チャネルコード情報を含む１対１無線ベアラ（ＲＢ）を転送する段階をさらに含む、請求項１に記載の１対多サービス提供方法。
【請求項７】
前記ネットワークで制御チャネルを介して前記１対１無線ベアラを転送する段階をさらに含む、請求項６に記載の１対多サービス提供方法。
【請求項８】
前記制御チャネルは、ＭＢＭＳ制御チャネル（ＭＣＣＨ：ＭＢＭＳ  Ｃｏｎｔｒｏｌ  Ｃｈａｎｎｅｌ）を伴う第２共通制御物理チャネル（ＳＣＣＰＣＨ：Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）である、請求項７に記載の１対多サービス提供方法。
【請求項９】
前記少なくとも２つの多重コード物理チャネルのそれぞれは、ＭＢＭＳ制御チャネル（ＭＣＣＨ）を伴う第２共通制御物理チャネル（ＳＣＣＰＣＨ）である、請求項１に記載の１対多サービス提供方法。
【請求項１０】
前記多重チャネルコード情報は、拡散コード（ｓｐｒｅａｄｉｎｇ  ｃｏｄｅ）、直交コード（ｏｒｔｈｏｇｏｎａｌ  ｃｏｄｅ）及び直交可変拡散ファクタ（ＯＶＳＦ：Ｏｒｔｈｏｇｏｎａｌ  Ｖａｒｉａｂｌｅ  Ｓｐｒｅａｄｉｎｇ  Ｆａｃｔｏｒ）コードのうちの１つと結合した、請求項１に記載の１対多サービス提供方法。
【請求項１１】
前記１対多サービスは、マルチメディア放送またはマルチキャストサービス（ＭＢＭＳ：Ｍｕｌｔｉｍｅｄｉａ  Ｂｒｏａｄｃａｓｔｏｒ  Ｍｕｌｔｉｃａｓｔ  Ｓｅｒｖｉｃｅ）である、請求項１に記載の１対多サービス提供方法。
【請求項１２】
移動通信システムにおいて少なくとも１つの移動通信端末に１対多サービスを提供する方法であって、該方法は、
少なくとも２つの多重コード物理チャネルを介した前記１対多サービスの転送と関連した多重チャネルコード情報を受信する段階と、
前記多重チャネルコード情報を用いて少なくとも２つの物理チャネルを構成する段階と、
前記少なくとも２つの多重コード物理チャネルを介して前記１対多サービスを受信する段階と、
を含む、１対多サービス提供方法。
【請求項１３】
前記少なくとも２つの多重コード物理チャネルを介して受信した１対多サービスデータを結合する段階をさらに含む、請求項１２に記載の１対多サービス提供方法。
【請求項１４】
前記少なくとも２つの多重コード物理チャネルのうちの特定１つを通して制御情報を受信する段階と、
前記制御情報を用いて前記１対多サービスデータを受信する段階と、
をさらに含む、請求項１２に記載の１対多サービス提供方法。
【請求項１５】
前記制御情報は、転送フォーマット組合せ指示子（ＴＦＣＩ）を含む、請求項１４に記載の１対多サービス提供方法。
【請求項１６】
前記少なくとも２つの多重コード物理チャネルのうちの前記特定１つを通してパイロット（ｐｉｌｏｔ）信号を受信する段階をさらに含む、請求項１４に記載の１対多サービス提供方法。
【請求項１７】
前記多重チャネルコード情報を受信する段階は、１対１無線ベアラ（ＲＢ）情報を受信する段階をさらに含む、請求項１２に記載の１対多サービス提供方法。
【請求項１８】
前記多重チャネルコード情報を受信する段階は、制御チャネルを介して１対１無線ベアラ（ＲＢ）情報を受信する段階をさらに含む、請求項１７に記載の１対多サービス提供方法。
【請求項１９】
前記制御チャネルは、ＭＢＭＳ制御チャネル（ＭＣＣＨ）を伴う第２共通制御物理チャネル（ＳＣＣＰＣＨ）である、請求項１８に記載の１対多サービス提供方法。
【請求項２０】
前記少なくとも２つの多重コード物理チャネルのそれぞれは、ＭＢＭＳ制御チャネル（ＭＣＣＨ）を伴う第２共通制御物理チャネル（ＳＣＣＰＣＨ）である、請求項１２に記載の１対多サービス提供方法。
【請求項２１】
前記多重チャネルコード情報は、拡散コード、直交コード及び直交可変拡散ファクタ（ＯＶＳＦ）コードのうちの１つと結合した、請求項１２に記載の１対多サービス提供方法。
【請求項２２】
前記１対多サービスは、マルチメディア放送またはマルチキャストサービス（ＭＢＭＳ）サービスである、請求項１２に記載の１対多サービス提供方法。
【請求項２３】
移動通信システムにおいて、少なくとも１つの移動通信端末に１対多サービスを提供する方法であって、該方法は、
少なくとも２つの多重コード物理チャネルを構成し、前記少なくとも２つの多重コード物理チャネルを介して前記１対多サービスデータ転送と関連した多重チャネルコード情報を転送する段階と、
前記少なくとも２つの多重コード物理チャネルを介して前記１対多サービスデータを転送する段階と、
を含む、１対多サービス提供方法。
【請求項２４】
前記少なくとも２つの多重コード物理チャネルのうちの特定の１つを通して制御情報を転送する段階をさらに含む、請求項２３に記載の１対多サービス提供方法。
【請求項２５】
前記制御情報は、転送フォーマット組合せ指示子（ＴＦＣＩ）を含む、請求項２４に記載の１対多サービス提供方法。
【請求項２６】
前記少なくとも２つの多重コード物理チャネルのうちの前記特定の１つを通してパイロット信号を転送する段階をさらに含む、請求項２４に記載の１対多サービス提供方法。
【請求項２７】
前記多重チャネルコード情報を含む１対１無線ベアラ（ＲＢ）情報を転送する段階をさらに含む、請求項２３に記載の１対多サービス提供方法。
【請求項２８】
制御チャネルを介して前記１対１無線ベアラを転送する段階をさらに含む、請求項２７に記載の１対多サービス提供方法。
【請求項２９】
前記制御チャネルは、ＭＢＭＳ制御チャネル（ＭＣＣＨ）を伴う第２共通制御物理チャネル（ＳＣＣＰＣＨ）である、請求項２８に記載の１対多サービス提供方法。
【請求項３０】
前記少なくとも２つの多重コード物理チャネルのそれぞれは、ＭＢＭＳ制御チャネル（ＭＣＣＨ）を伴う第２共通制御物理チャネル（ＳＣＣＰＣＨ）である、請求項２３に記載の１対多サービス提供方法。
【請求項３１】
前記多重チャネルコード情報は、拡散コード、直交コード及び直交可変拡散ファクタ（ＯＶＳＦ）コードのうちの１つと結合した、請求項２３に記載の１対多サービス提供方法。
【請求項３２】
前記１対多サービスは、マルチメディア放送またはマルチキャストサービス（ＭＢＭＳ）である、請求項２３に記載の１対多サービス提供方法。
【請求項３３】
ネットワークから１対多サービスを受信するための移動通信端末であって、該移動通信端末は、
少なくとも２つの多重コード物理チャネルを介した前記１対多サービスデータの受信と関連した多重チャネルコード情報及び１対多サービスデータを含むメッセージを含むＲＦ信号を受信するためのアンテナと、
前記アンテナを用いて受信した前記ＲＦ信号を処理するためのＲＦモジュールと、
ユーザーから情報を入力するためのキーパッドと、
前記多重チャネルコード情報を保存するための保存ユニット（ｓｔｏｒａｇｅ  ｕｎｉｔ）と、
前記ユーザーに情報を伝達するためのディスプレイと、
前記多重チャネルコード情報を用いて少なくとも２つの物理チャネルを構成し、前記少なくとも２つの多重コード物理チャネルを介して受信した前記１対多サービスデータを処理するためのプロセシングユニット（ｐｒｏｃｅｓｓｉｎｇ  ｕｎｉｔ）と、
を備える、移動通信端末。
【請求項３４】
前記プロセシングユニットは、前記少なくとも２つの多重コード物理チャネルを介して受信した１対多サービスデータを結合するのにさらに適用されることができる、請求項３３に記載の移動通信端末。
【請求項３５】
前記プロセシングユニットは、前記少なくとも２つの多重コード物理チャネルのうちの特定の１つを通して受信した制御情報を用いて前記１対多サービスデータを処理するのにさらに適用されることができる、請求項３３に記載の移動通信端末。
【請求項３６】
前記制御情報は、転送フォーマット組合せ指示子（ＴＦＣＩ）を含む、請求項３５に記載の移動通信端末。
【請求項３７】
前記プロセシングユニットは、前記少なくとも２つの多重コード物理チャネルのうちの前記特定の１つを通して受信したパイロット信号を処理するのにさらに適用されることができる、請求項３５に記載の移動通信端末。
【請求項３８】
前記プロセシングユニットは、１対１無線ベアラ（ＲＢ）情報を処理することによって前記多重チャネルコード情報を処理するのにさらに適用されることができる、請求項３３に記載の移動通信端末。
【請求項３９】
前記１対１無線ベアラ（ＲＢ）情報は、制御チャネルを介して受信される、請求項３８に記載の移動通信端末。
【請求項４０】
前記制御チャネルは、ＭＢＭＳ制御チャネル（ＭＣＣＨ）を伴う第２共通制御物理チャネル（ＳＣＣＰＣＨ）である、請求項３９に記載の移動通信端末。
【請求項４１】
前記少なくとも２つの多重コード物理チャネルのそれぞれは、ＭＢＭＳ制御チャネル（ＭＣＣＨ）を伴う第２共通制御物理チャネル（ＳＣＣＰＣＨ）である、請求項３３に記載の移動通信端末。
【請求項４２】
前記多重チャネルコード情報は、拡散コード、直交コード及び直交可変拡散ファクタ（ＯＶＳＦ）コードのうちの１つと結合した、請求項３３に記載の移動通信端末。
【請求項４３】
前記１対多サービスは、マルチメディア放送またはマルチキャストサービス（ＭＢＭＳ）である、請求項３３に記載の移動通信端末。
【請求項４４】
無線通信システムにおいて少なくとも１つの移動通信端末に１対多サービスを提供するネットワークであって、該ネットワークは、
多重チャネルコード情報及び１対多サービスデータを含む信号を前記少なくとも１つの移動通信端末に転送する転送器と、
前記少なくとも１つの移動通信端末から信号を受信する受信器と、
前記１対多サービスデータを転送する少なくとも２つの多重コード物理チャネルを構成し、前記少なくとも２つの多重コード物理チャネルを介した前記１対多サービスデータの転送と関連した情報を含む前記多重チャネルコード情報を生成する制御器と、
を備える、ネットワーク。
【請求項４５】
前記制御器は、前記少なくとも２つの多重コード物理チャネルのうちの特定の１つを通して制御情報を転送するのにさらに適用される、請求項４４に記載のネットワーク。
【請求項４６】
前記制御器は、転送フォーマット組合せ指示子（ＴＦＣＩ）を含む前記制御情報を生成するのにさらに適用される、請求項４５に記載のネットワーク。
【請求項４７】
前記制御器は、前記少なくとも２つの多重コード物理チャネルのうちの前記特定の１つを通してパイロット信号を転送するのにさらに適用される、請求項４５に記載のネットワーク。
【請求項４８】
前記制御器は、前記多重チャネルコード情報を含む１対１無線ベアラ（ＲＢ）情報を転送するのにさらに適用される、請求項４４に記載のネットワーク。
【請求項４９】
前記制御器は、前記１対１無線ベアラ情報を制御チャネルを介して転送するのにさらに適用される、請求項４８に記載のネットワーク。
【請求項５０】
前記制御チャネルは、ＭＢＭＳ制御チャネル（ＭＣＣＨ）を伴う第２共通制御物理チャネル（ＳＣＣＰＣＨ）である、請求項４９に記載のネットワーク。
【請求項５１】
前記少なくとも２つの多重コード物理チャネルのそれぞれは、ＭＢＭＳ制御チャネル（ＭＣＣＨ）を伴う第２共通制御物理チャネル（ＳＣＣＰＣＨ）である、請求項４４に記載のネットワーク。
【請求項５２】
前記多重チャネルコード情報は、拡散コード、直交コード及び直交可変拡散ファクタ（ＯＶＳＦ）コードと結合した、請求項４４に記載のネットワーク。
【請求項５３】
前記１対多サービスは、マルチメディア放送及びマルチキャストサービス（ＭＢＭＳ）である、請求項４４に記載のネットワーク。
【発明の詳細な説明】
【技術分野】
【０００１】
本発明は、移動通信システムに係り、より詳細には、移動通信システムにおいて少なくとも１つの移動通信端末またはユーザー機器（ＵＥ：Ｕｓｅｒ  Ｅｑｕｉｐｍｅｎｔ）に２つ以上の共通物理チャネルを介して１つの１対多マルチメディアサービスを提供する方法及び装置に関する。
【背景技術】
【０００２】
図１は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のネットワーク構造を示すブロックダイアグラムである。
【０００３】
図１を参照すると、ＵＭＴＳは、ユーザー機器（以下、‘ＵＥ’という。）１、ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）２及び基幹ネットワーク（Ｃｏｒｅ  Ｎｅｔｗｏｒｋ：以下、‘ＣＮ’という。）３を含む。ＵＴＲＡＮ２は、少なくとも１つの無線ネットワークサブシステム（Ｒａｄｉｏ  Ｎｅｔｗｏｒｋ  Ｓｕｂ−ｓｙｓｔｅｍ：以下、‘ＲＮＳ’という。）４を備え、各ＲＮＳは、無線ネットワーク制御器（Ｒａｄｉｏ  Ｎｅｔｗｏｒｋ  Ｃｏｎｔｒｏｌｌｅｒ：以下、‘ＲＮＣ’という。）５及び該ＲＮＣによって管理される少なくとも１つの基地局（以下、‘Ｎｏｄｅ  Ｂ’という）６を備える。このＮｏｄｅＢ  ６は少なくとも１つのセルを含む。
【０００４】
図２には、３ＧＰＰ（３ｒｄ  Ｇｅｎｅｒａｔｉｏｎ  Ｐａｒｔｎｅｒｓｈｉｐ  Ｐｒｏｊｅｃｔ）無線接続網規格を基盤とするＵＥ１とＵＴＲＡＮ２間の無線インターフェースプロトコル（Ｒａｄｉｏ  Ｉｎｔｅｒｆａｃｅ  Ｐｒｏｔｏｃｏｌ）の構造を示す。
【０００５】
図２を参照すると、無線インターフェースプロトコルは、水平的に物理階層（Ｐｈｙｓｉｃａｌ  Ｌａｙｅｒ）、データリンク階層（Ｄａｔａ  Ｌｉｎｋ  Ｌａｙｅｒ）及びネットワーク階層（Ｎｅｔｗｏｒｋ  Ｌａｙｅｒ）からなり、垂直的にはデータ情報転送のためのユーザー平面（Ｕｓｅｒ  Ｐｌａｎｅ）と制御信号（Ｓｉｇｎａｌｉｎｇ）伝達のための制御平面（Ｃｏｎｔｒｏｌ  Ｐｌａｎｅ）とに区分される。図２のプロトコル階層は、通信システムに広く知られた開放型システム間相互接続（ＯＳＩ：Ｏｐｅｎ  Ｓｙｓｔｅｍ  Ｉｎｔｅｒｃｏｎｎｅｃｔｉｏｎ）基準モデルの下位３階層に基づいてＬ１（第１階層）、Ｌ２（第２階層）、Ｌ３（第３階層）に区分されることができる。
【０００６】
上記第１階層の物理階層は、物理チャネル（Ｐｈｙｓｉｃａｌ  Ｃｈａｎｎｅｌ）を用いて上位階層に情報転送サービス（Ｉｎｆｏｒｍａｔｉｏｎ  Ｔｒａｎｓｆｅｒ  Ｓｅｒｖｉｃｅ）を提供する。物理階層は、上位の媒体接続制御（ＭＡＣ：Ｍｅｄｉｕｍ  Ａｃｃｅｓｓ  Ｃｏｎｔｒｏｌ）階層とは転送チャネル（Ｔｒａｎｓｐｏｒｔ  Ｃｈａｎｎｅｌ）を介して接続されており、この転送チャネルを介して媒体接続制御（ＭＡＣ）階層と物理階層間のデータが移動する。そして、異なる物理階層間、すなわち、送信側と受信側の物理階層間は、物理チャネルを介してデータが移動する。
【０００７】
第２階層の媒体接続制御（ＭＡＣ）階層は、論理チャネル（Ｌｏｇｉｃａｌ  Ｃｈａｎｎｅｌ）を通して上位階層の無線リンク制御（ＲＬＣ：Ｒａｄｉｏ  Ｌｉｎｋ  Ｃｏｎｔｒｏｌ）階層にサービスを提供する。第２階層の無線リンク制御（ＲＬＣ）階層は、信頼性あるデータの転送を支援し、上位階層からのＲＬＣサービスデータ単位（ＳＤＵ：Ｓｅｒｖｉｃｅ  Ｄａｔａ  Ｕｎｉｔ）の分割及び接続機能を行うことができる。
【０００８】
第３階層の最も下部に位置した無線資源制御（ＲＲＣ：Ｒａｄｉｏ  Ｒｅｓｏｕｒｃｅ  Ｃｏｎｔｒｏｌ）階層は、制御平面でのみ定義され、無線ベアラ（ＲＢ：Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、転送チャネル及び物理チャネルの制御を担当する。この時、ＲＢは、ＵＥ１とＵＴＲＡＮ２間のデータ伝達のために第２階層によって提供されるサービスを意味する。一般に、ＲＢが設定されるというのは、特定サービスを提供するために必要なプロトコル階層及びチャネルの特性を規定し、それぞれの具体的なパラメータ及び動作方法を設定する過程を意味する。
【０００９】
以下、マルチメディア放送／マルチキャストサービス（ＭＢＭＳ：Ｍｕｌｔｉｍｅｄｉａ  Ｂｒｏａｄｃａｓｔ／Ｍｕｌｔｉｃａｓｔ  Ｓｅｒｖｉｃｅ）について説明する。ＭＢＭＳとは、下り専用のＭＢＭＳベアラサービスを用いて複数のＵＥ１にストリーミング（Ｓｔｒｅａｍｉｎｇ）またはバックグラウンド（Ｂａｃｋｇｒｏｕｎｄ）サービスを提供する方式のことをいう。１つのＭＢＭＳサービスは、１つ以上のセッション（Ｓｅｓｓｉｏｎ）で構成され、ＭＢＭＳデータは、セッションの進行中（ｏｎｇｏｉｎｇ）にのみＭＢＭＳベアラサービスを通して複数のＵＥ１に転送される。
【００１０】
図３は、一般のＵＥにおいてＭＢＭＳサービスのためのチャネル構成を示す図である。
【００１１】
ＵＴＲＡＮ２は、無線ベアラを用いてＭＢＭＳベアラサービスをＵＥ１に提供する。ＵＴＲＡＮ２が使用する無線ベアラの種類（Ｔｙｐｅ）には、１対１（Ｐｏｉｎｔ−ｔｏ−ｐｏｉｎｔ）無線ベアラと１対多（Ｐｏｉｎｔ−ｔｏ−ｍｕｌｔｉｐｏｉｎｔ）無線ベアラがある。
【００１２】
１対１無線ベアラは、双方向無線ベアラ（ｂｉ−ｄｉｒｅｃｔｉｏｎａｌ  ＲＢ）であり、論理チャネルＤＴＣＨ（Ｄｅｄｉｃａｔｅｄ  Ｔｒａｆｆｉｃ  Ｃｈａｎｎｅｌ）及び転送チャネルＤＣＨ（Ｄｅｄｉｃａｔｅｄ  Ｃｈａｎｎｅｌ）、物理チャネルＤＰＣＨ（Ｄｅｄｉｃａｔｅｄ  Ｐｈｙｓｉｃａｌ  Ｃｈａｎｎｅｌ）または物理チャネルＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）で構成される。また、１対多無線ベアラは、単方向下り無線ベアラ（ｕｎｉ−ｄｉｒｅｃｔｉｏｎａｌ  ｄｏｗｎｌｉｎｋ  ＲＢ）であり、論理チャネルＭＴＣＨ（ＭＢＭＳ  Ｔｒａｆｆｉｃ  Ｃｈａｎｎｅｌ）、転送チャネルＦＡＣＨ（Ｆｏｒｗａｒｄ  Ａｃｃｅｓｓ  Ｃｈａｎｎｅｌ）及び物理チャネルＳＣＣＰＣＨで構成される。論理チャネルＭＴＣＨは、１つのセルに提供される１つのＭＢＭＳサービスごとに設定（ｃｏｎｆｉｇｕｒａｔｉｏｎ）され、特定ＭＢＭＳサービスのユーザー平面データを複数の端末に転送するために用いられるチャネルである。
【００１３】
図３に示すように、論理チャネルＭＣＣＨ（ＭＢＭＳ  Ｃｏｎｔｒｏｌ  Ｃｈａｎｎｅｌ）は、１対多下りチャネル（ｐｏｉｎｔ−ｔｏ−ｍｕｌｔｉｐｏｉｎｔ  ｄｏｗｎｌｉｎｋ  ｃｈａｎｎｅｌ）で、ＭＢＭＳと関連した制御情報を転送するために用いる。論理チャネルＭＣＣＨは、転送チャネルＦＡＣＨにマッピングされ、転送チャネルＦＡＣＨは物理チャネルＳＣＣＰＣＨにマッピングされる。１つのセルには１つのＭＣＣＨのみ存在する。
【００１４】
ＭＢＭＳサービスを提供するＵＴＲＡＮ２は、ＭＣＣＨチャネルを介してＭＣＣＨ情報（ＭＣＣＨ  Ｉｎｆｏｒｍａｔｉｏｎ）を複数の端末に転送する。ＭＣＣＨ情報は、ＭＢＭＳと関連した通知（Ｎｏｔｉｆｉｃａｔｉｏｎ）メッセージ、すなわち、ＭＢＭＳと関連したＲＲＣメッセージを含む。例えば、ＭＣＣＨ情報は、ＭＢＭＳサービス情報を知らせるメッセージ、１対多無線ベアラ情報を知らせるメッセージ、特定ＭＢＭＳサービスのためにＲＲＣ接続（ＲＲＣ  Ｃｏｎｎｅｃｔｉｏｎ）が要請されることを知らせるアクセス情報（Ａｃｃｅｓｓ  Ｉｎｆｏｒｍａｔｉｏｎ）などを含む。
【００１５】
図４は、一般の方法においてＭＣＣＨ情報がどのように転送されるかを示すダイヤグラムである。図５は、ＭＢＭＳを提供する一般の方法を示す。
【００１６】
図４を参照すると、ＭＢＭＳサービスを提供するＵＴＲＡＮ２は、ＭＣＣＨチャネルを介してＭＣＣＨ情報を複数のＵＥ１に転送する。該ＭＣＣＨ情報は、変更周期（ｍｏｄｉｆｉｃａｔｉｏｎ  ｐｅｒｉｏｄ）及び反復周期（ｒｅｐｅｔｉｔｉｏｎ  ｐｅｒｉｏｄ）によって周期的に転送される。
【００１７】
ＭＣＣＨ情報は、重要情報（ｃｒｉｔｉｃａｌ  ｉｎｆｏｒｍａｔｉｏｎ）及び非重要情報（ｎｏｎ−ｃｒｉｔｉｃａｌ  ｉｎｆｏｒｍａｔｉｏｎ）に分けられる。非重要情報は、各変更周期及び各反復周期ごとに自由に変更可能である。これに対し、重要情報はそれぞれの変更周期でのみ変更可能である。
【００１８】
特に、重要情報は、各反復周期ごとに一度ずつのみ反復される。しかし、変更された重要情報は変更周期の開始点でのみ転送可能である。
【００１９】
ＵＴＲＡＮ２は、変更周期の間にＭＣＣＨ情報が更新されるか否かを知らせるべく、周期的に図３に示す物理チャネルＭＩＣＨ（ＭＢＭＳ  ｎｏｔｉｆｉｃａｔｉｏｎ  Ｉｎｄｉｃａｔｏｒ  Ｃｈａｎｎｅｌ）を転送する。したがって、もし１つの特定ＭＢＭＳサービスのみを受信しようとするＵＥ１は、そのサービスのセッションが始まる以前にはＭＣＣＨまたはＭＴＣＨを受信せず、周期的にＭＩＣＨを受信する。参考までに、本明細書においてＭＣＣＨ情報の更新とは、ＭＣＣＨ情報のうちの特定項目の生成、追加、変更または除去のことを意味する。
【００２０】
図５は、ＭＢＭＳサービスを提供する一般の方法を示す流れ図である。
【００２１】
特定ＭＢＭＳサービスのセッションが始まると、ＵＴＲＡＮ２は、特定ＭＢＭＳサービスを受信しようとするＵＥ１に、ＭＣＣＨチャネルを受信することを通知する指示子のＮＩ（Ｎｏｔｉｆｉｃａｔｉｏｎ  Ｉｎｄｉｃａｔｏｒ）をＭＩＣＨを通して転送する。ＭＩＣＨを通して指示子ＮＩを受信したＵＥ１は、ＭＩＣＨが指示する特定変更周期の間にＭＣＣＨを受信する。
【００２２】
１対多無線ベアラを用いて特定ＭＢＭＳを受信しようとするＵＥ１は、ＭＣＣＨを通して無線ベアラ情報を含むＭＣＣＨ情報を受信し、該受信した情報を用いて１対多無線ベアラを構成する。１対多無線ベアラを構成した後に、ＵＥ１は、ＭＴＣＨを通して転送された特定ＭＢＭＳのデータを獲得するために、ＭＴＣＨのマッピングされた物理チャネルＳＣＣＰＣＨを続いて受信する。
【００２３】
図６は、一般のシステムにおいてＭＴＣＨを通したＭＢＭＳサービスの不連続的な転送方法を示す図である。図６に示すように、ＵＴＲＡＮ２は、ＭＴＣＨを通して不連続的にＭＢＭＳデータを転送できる。この時、ＵＴＲＡＮ２は、ＭＴＣＨのマッピングされるＳＣＣＰＣＨ（ＳＣＣＰＣＨ  ｃａｒｒｙｉｎｇ  ＭＴＣＨ）を通して周期的にスケジューリングメッセージ（Ｓｃｈｅｄｕｌｉｎｇ  ｍｅｓｓａｇｅ）をＵＥ１に転送する。ここで、スケジューリングメッセージは、１つのスケジューリング周期の間に転送されるＭＢＭＳデータの転送開始時点と転送区間を知らせる。このために、ＵＴＲＡＮ２はＵＥ１にスケジューリング情報の転送周期（スケジューリング周期；Ｓｃｈｅｄｕｌｉｎｇ  Ｐｅｒｉｏｄ）をあらかじめ知らせなければならない。
【００２４】
ＵＥ１はまず、ＵＴＲＡＮ２からスケジューリング周期を獲得し、該獲得したスケジューリング周期によって周期的にスケジューリングメッセージを受信する。ＵＥ１は、受信したスケジューリングメッセージを用いてＭＴＣＨのマッピングされるＳＣＣＰＣＨ（ＳＣＣＰＣＨ  ｃａｒｒｙｉｎｇ  ＭＴＣＨ）を不連続的に且つ周期的に受信する。特に、ＵＥ１は、スケジューリングメッセージを用いて、データの転送される時間区間にはＭＴＣＨのマッピングされるＳＣＣＰＣＨを受信し、データの転送されない時間区間にはＭＴＣＨのマッピングされるＳＣＣＰＣＨを受信しない。上記の方法によると、ＵＥ１は效率的にデータを受信できるようにし、ＵＥ１のバッテリー消耗を低減することが可能になる。
【００２５】
上記の一般の方法では、ＦＤＤ（Ｆｒｅｑｕｅｎｃｙ  Ｄｉｖｉｓｉｏｎ  Ｄｕｐｌｅｘ）モードを用いるＷＣＤＭＡシステムは、１つのチャネルコードを用いてＳＣＣＰＣＨを転送する。これにより、ＳＣＣＰＣＨを通して転送されるＭＢＭＳの最大転送速度は、ＳＣＣＰＣＨの最高速度である２５６ｋｂｐｓと制限され、２５６ｋｂｐｓ以上のＭＢＭＳサービスを提供できないという問題があった。
【発明の開示】
【発明が解決しようとする課題】
【００２６】
そこで、２５６ｋｂｐｓを超過するＭＢＭＳサービスを容易に提供できる方法及び装置が要求されており、本発明はこのような要求または他の要求に応えることができる。
【課題を解決するための手段】
【００２７】
本発明の特徴及び長所は、以下に詳細に説明され、該説明から明白になるかまたは本発明の実施例によって理解されるであろう。本発明の目的及び他の長所は、詳細な説明、請求項及び図面で特に指摘した構造によって実現され獲得されることができる。
【００２８】
したがって、本発明は、上記の従来技術の制限及び欠点に起因する１つ以上の問題点を実質的に解決するために考案されたもので、移動通信システムにおいて２つ以上の共通物理チャネルを介して高速の１対多マルチメディアサービスを少なくとも１つのユーザー機器（ＵＥ）に提供する方法及び装置に関する。無線ネットワークは、多重コードを用いて複数の物理チャネルを介して１対多マルチメディアサービスを転送できる。ユーザー機器（ＵＥ）は、前記無線ネットワークから制御チャネルを介して多重チャネルコード情報を受信し、該受信した多重チャネルコード情報を用いて複数の物理チャネルを構成し、該構成された物理チャネルを介して前記１対多マルチメディアサービスを受信することができる。
【００２９】
本発明の追加的な長所、目的及び特徴は、一部は以下の詳細な説明に展開され、一部は、以下の詳細な説明に基づいて当該技術分野における通常の技術を持つ者にとって明らかになる、または、発明の実施から分かるであろう。本発明の目的及び長所は、添付の図面だけでなく、作成された詳細な説明及び請求項によって詳細に指摘された構成によって得られ、具体化されることができる。
【００３０】
本発明の一様態によって、移動通信システムで少なくとも１つの移動通信端末に１対多（ｐｏｉｎｔ−ｔｏ−ｍｕｌｔｉｐｏｉｎｔ）サービスを提供する方法が提供される。この方法は、ネットワークで少なくとも２つの多重コード物理チャネルを構成し、前記少なくとも２つの多重コード物理チャネルを介して前記１対多サービスデータの転送と関連した多重チャネルコード情報を前記少なくとも１つの移動通信端末に転送する段階と、前記少なくとも１つの移動通信端末で前記多重チャネルコード情報を用いて少なくとも２つの物理チャネルを構成する段階と、前記ネットワークで前記１対多サービスデータを前記少なくとも２つの多重コード物理チャネルを介して転送する段階と、前記少なくとも１つの移動通信端末で前記１対多サービスデータを前記少なくとも２つの多重コード物理チャネルを介して受信する段階と、を含む。
【００３１】
前記方法は、好ましくは、前記少なくとも１つの移動通信端末が前記少なくとも２つの多重コード物理チャネルを介して受信した１対多サービスデータを結合する段階をさらに含むことができる。前記方法は、より好ましくは、前記ネットワークで前記少なくとも２つの多重コード物理チャネルのうちの特定の１つを通して、制御情報を前記少なくとも１つの移動通信端末に転送する段階と、前記少なくとも１つの移動通信端末で前記制御情報を用いて前記１対多サービスデータを受信する段階と、をさらに含むことができる。好ましくは、前記制御情報は、転送フォーマット組合せ指示子（ＴＦＣＩ：Ｔｒａｎｓｐｏｒｔ  Ｆｏｒｍａｔ  Ｃｏｍｂｉｎａｔｉｏｎ  Ｉｎｄｉｃａｔｏｒ）を含むことができる。
【００３２】
前記方法は、より好ましくは、前記ネットワークで前記少なくとも２つの多重コード物理チャネルのうちの前記特定の１つを通して前記少なくとも１つの移動通信端末にパイロット（ｐｉｌｏｔ）信号を転送する段階をさらに含むことができる。前記方法は、より好ましくは、前記ネットワークで前記多重チャネルコード情報を含む１対１無線ベアラ（ＲＢ）を転送する段階をさらに含むことができる。
【００３３】
前記方法は、好ましくは、前記ネットワークで制御チャネルを介して前記１対１無線ベアラを転送する段階をさらに含むことができる。好ましくは、前記制御チャネルは、ＭＢＭＳ制御チャネル（ＭＣＣＨ：ＭＢＭＳ  Ｃｏｎｔｒｏｌ  Ｃｈａｎｎｅｌ）を伴う第２共通制御物理チャネル（ＳＣＣＰＣＨ：Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）である。
【００３４】
前記方法において、好ましくは、前記少なくとも２つの多重コード物理チャネルのそれぞれは、ＭＢＭＳ制御チャネル（ＭＣＣＨ）を伴う第２共通制御物理チャネル（ＳＣＣＰＣＨ）である。前記方法において、好ましくは、前記多重チャネルコード情報は、拡散コード（ｓｐｒｅａｄｉｎｇ  ｃｏｄｅ）、直交コード（ｏｒｔｈｏｇｏｎａｌ  ｃｏｄｅ）及び直交可変拡散ファクタ（ＯＶＳＦ：Ｏｒｔｈｏｇｏｎａｌ  Ｖａｒｉａｂｌｅ  Ｓｐｒｅａｄｉｎｇ  Ｆａｃｔｏｒ）コードのうちの１つと結合されることができる。好ましくは、前記１対多サービスは、マルチメディア放送またはマルチキャストサービス（ＭＢＭＳ：Ｍｕｌｔｉｍｅｄｉａ  Ｂｒｏａｄｃａｓｔ  ｏｒ  Ｍｕｌｔｉｃａｓｔ  Ｓｅｒｖｉｃｅ）である。
【００３５】
本発明の他の様態として、移動通信システムで少なくとも１つの移動通信端末に１対多サービスを提供する方法が提供される。該方法は、少なくとも２つの多重コード物理チャネルを介した前記１対多サービスの転送と関連した多重チャネルコード情報を受信する段階と前記多重チャネルコード情報を用いて少なくとも２つの物理チャネルを構成する段階と、前記少なくとも２つの多重コード物理チャネルを介して前記１対多サービスを受信する段階と、を含む。
【００３６】
前記方法は、好ましく、前記少なくとも２つの多重コード物理チャネルを介して受信した１対多サービスデータを結合する段階をさらに含むことができる。該方法は、より好ましくは、前記少なくとも２つの多重コード物理チャネルのうちの特定の１つを通して制御情報を受信する段階と、前記制御情報を用いて前記１対多サービスデータを受信する段階とをさらに含むことができる。好ましくは、前記制御情報は、転送フォーマット組合せ指示子（ＴＦＣＩ）を含むことができる。
【００３７】
前記方法は、より好ましくは、前記少なくとも２つの多重コード物理チャネルのうちの前記特定の１つを通してパイロット（ｐｉｌｏｔ）信号を受信する段階をさらに含むことができる。好ましくは、前記多重チャネルコード情報を受信する段階は、１対１無線ベアラ（ＲＢ）情報を受信する段階をさらに含むことができる。より好ましくは、前記多重チャネルコード情報を受信する段階は、制御チャネルを介して１対１無線ベアラ（ＲＢ）情報を受信する段階をさらに含むことができる。
【００３８】
前記制御チャネルは、ＭＢＭＳ制御チャネル（ＭＣＣＨ）を伴う第２共通制御物理チャネル（ＳＣＣＰＣＨ）でありうる。前記少なくとも２つの多重コード物理チャネルのそれぞれは、ＭＢＭＳ制御チャネル（ＭＣＣＨ）を伴う第２共通制御物理チャネル（ＳＣＣＰＣＨ）でありうる。
【００３９】
前記多重チャネルコード情報は、拡散コード、直交コード及び直交可変拡散ファクタ（ＯＶＳＦ）コードのうちの１つと結合されることができる。前記１対多サービスは、マルチメディア放送またはマルチキャストサービス（ＭＢＭＳ）サービスでありうる。
【００４０】
本発明のさらに他の様態として、少なくとも１つの移動通信端末に１対多サービスを提供する方法が提供される。前記方法は、少なくとも２つの多重コード物理チャネルを構成し、前記少なくとも２つの多重コード物理チャネルを介して前記１対多サービスデータ転送と関連した多重チャネルコード情報を転送する段階と、前記少なくとも２つの多重コード物理チャネルを介して前記１対多サービスデータを転送する段階と、を含む。
【００４１】
前記方法は、好ましくは、前記少なくとも２つの多重コード物理チャネルのうちの特定の１つを通して制御情報を転送する段階をさらに含むことができる。好ましくは、前記制御情報は、転送フォーマット組合せ指示子（ＴＦＣＩ）を含むことができる。
【００４２】
前記方法は、より好ましくは、前記少なくとも２つの多重コード物理チャネルのうちの前記特定の１つを通してパイロット信号を転送する段階をさらに含むことができる。
【００４３】
前記方法は、より好ましくは、前記多重チャネルコード情報を含む１対１無線ベアラ（ＲＢ）情報を転送する段階をさらに含むことができる。
【００４４】
前記方法は、より好ましくは、制御チャネルを介して前記１対１無線ベアラを転送する段階をさらに含むことができる。好ましくは、前記制御チャネルは、ＭＢＭＳ制御チャネル（ＭＣＣＨ）を伴う第２共通制御物理チャネル（ＳＣＣＰＣＨ）である。
【００４５】
前記少なくとも２つの多重コード物理チャネルのそれぞれは、ＭＢＭＳ制御チャネル（ＭＣＣＨ）を伴う第２共通制御物理チャネル（ＳＣＣＰＣＨ）でありうる。前記多重チャネルコード情報は、拡散コード、直交コード及び直交可変拡散ファクタ（ＯＶＳＦ）コードのうちの１つと結合されることができる。好ましくは、前記１対多サービスは、マルチメディア放送またはマルチキャストサービス（ＭＢＭＳ）である。
【００４６】
本発明のさらに他の様態として、ネットワークから１対多サービスを受信するための移動通信端末が提供される。前記移動通信端末は、少なくとも２つの多重コード物理チャネルを介した前記１対多サービスデータの受信と関連した多重チャネルコード情報及び１対多サービスデータを含むメッセージを含むＲＦ信号を受信するためのアンテナと、前記アンテナを用いて受信した前記ＲＦ信号を処理するためのＲＦモジュールと、ユーザーから情報を入力するためのキーパッドと、前記多重チャネルコード情報を保存するための保存ユニット（ｓｔｏｒａｇｅ  ｕｎｉｔ）と、前記ユーザーに情報を伝達するためのディスプレイと、前記多重チャネルコード情報を用いて少なくとも２つの物理チャネルを構成し、前記少なくとも２つの多重コード物理チャネルを介して受信した前記１対多サービスデータを処理するためのプロセシングユニット（ｐｒｏｃｅｓｓｉｎｇ  ｕｎｉｔ）と、を備える。
【００４７】
前記プロセシングユニットは、前記少なくとも２つの多重コード物理チャネルを介して受信した１対多サービスデータを結合するのにさらに適用されることができる。前記プロセシングユニットは、前記少なくとも２つの多重コード物理チャネルのうちの特定の１つを通して受信した制御情報を用いて前記１対多サービスデータを処理するのにさらに適用されることができる。好ましくは、前記制御情報は、転送フォーマット組合せ指示子（ＴＦＣＩ）を含むことができる。
【００４８】
前記プロセシングユニットは、前記少なくとも２つの多重コード物理チャネルのうちの前記特定の１つを通して受信したパイロット信号を処理するのにさらに適用されることができる。前記プロセシングユニットは、１対１無線ベアラ（ＲＢ）情報を処理することによって前記多重チャネルコード情報を処理するのにさらに適用されることができる。
【００４９】
前記１対１無線ベアラ（ＲＢ）情報は、制御チャネルを介して受信ことができる。前記制御チャネルは、ＭＢＭＳ制御チャネル（ＭＣＣＨ）を伴う第２共通制御物理チャネル（ＳＣＣＰＣＨ）でありうる。
【００５０】
前記少なくとも２つの多重コード物理チャネルのそれぞれは、ＭＢＭＳ制御チャネル（ＭＣＣＨ）を伴う第２共通制御物理チャネル（ＳＣＣＰＣＨ）でありうる。前記多重チャネルコード情報は、拡散コード、直交コード及び直交可変拡散ファクタ（ＯＶＳＦ）コードのうちの１つと結合されることができる。好ましくは、前記１対多サービスは、マルチメディア放送またはマルチキャストサービス（ＭＢＭＳ）である。
【００５１】
本発明のさらに他の様態として、無線通信システムで少なくとも１つの移動通信端末に１対多サービスを提供するためのネットワークが提供される。前記ネットワークは、多重チャネルコード情報及び１対多サービスデータを含む信号を前記少なくとも１つの移動通信端末に転送するための転送器と、前記少なくとも１つの移動通信端末から信号を受信するための受信器と、前記１対多サービスデータを転送するための少なくとも２つの多重コード物理チャネルを構成し、前記少なくとも２つの多重コード物理チャネルを介した前記１対多サービスデータの転送と関連した情報を含む前記多重チャネルコード情報を生成するための制御器と、を備える。
【００５２】
前記制御器は、前記少なくとも２つの多重コード物理チャネルのうちの特定の１つを通して制御情報を転送するのにさらに適用されることができる。前記制御器は、転送フォーマット組合せ指示子（ＴＦＣＩ）を含む前記制御情報を生成するのにさらに適用されることができる。
【００５３】
前記制御器は、前記少なくとも２つの多重コード物理チャネルのうちの前記特定１つを通してパイロット信号を転送するのにさらに適用されることができる。前記制御器は、前記多重チャネルコード情報を含む１対１無線ベアラ（ＲＢ）情報を転送するのにさらに適用されることができる。
【００５４】
前記制御器は、前記１対１無線ベアラ情報を制御チャネルを介して転送するのにさらに適用されることができる。前記制御チャネルは、ＭＢＭＳ制御チャネル（ＭＣＣＨ）を伴う第２共通制御物理チャネル（ＳＣＣＰＣＨ）でありうる。
【００５５】
前記少なくとも２つの多重コード物理チャネルのそれぞれは、ＭＢＭＳ制御チャネル（ＭＣＣＨ）を伴う第２共通制御物理チャネル（ＳＣＣＰＣＨ）でありうる。前記多重チャネルコード情報は、拡散コード、直交コード及び直交可変拡散ファクタ（ＯＶＳＦ）コードと結合されることができる。好ましくは、前記１対多サービスは、マルチメディア放送及びマルチキャストサービス（ＭＢＭＳ）である。
【００５６】
前述した点と本発明の他の目的、特徴、様相及び長所は、添付の図面の他、以下の本発明の詳細な説明からより明確になる。上記の本発明の一般的な説明と以下の本発明の詳細な説明は例示的で説明的なもので、さらには請求された発明に対する追加的な説明が提供されることができる。
【産業上の利用可能性】
【００５７】
本発明は、３ＧＰＰ（３ｒｄ  Ｇｅｎｅｒａｔｉｏｎ  Ｐａｒｔｎｅｒｓｈｉｐ  Ｐｒｏｊｅｃｔ）によって標準化された非同期式無線移動通信システムのような１対多サービスを提供する移動通信システムに適用できる。
【発明を実施するための最良の形態】
【００５８】
本発明は、移動通信システムで２つ以上の共通物理チャネルを介して高速の１対多マルチメディアサービスを１つ以上のユーザー機器（ＵＥ）に提供する方法及び装置に関するものである。たとえ本発明は移動通信端末の側面から記述されているが、本発明は、移動通信システムにおいていかなる機構にいつでも１対多マルチメディアサービスを提供するために用いられることができる。
【００５９】
添付の図面に示す参照は本発明の好ましい実施例で具体化した。図面中、同一の構成要素には可能な限り同一の参照番号を付する。
【００６０】
図７は、本発明の好ましい一実施例による方法を示す図である。図７の一実施例は、図１に示す構造を持つＵＭＴＳシステムにおいてマルチメディア放送またはマルチキャストサービス（ＭＢＭＳ）に適用される技術的な特徴を示すもので、例えば、ＵＥ１がＷＣＤＭＡのＦＤＤモードでデータを転送及び受信する場合である。
【００６１】
図７を参照すると、ＵＴＲＡＮ２は、ＵＥ１にＭＣＣＨを通してＭＢＭＳサービス情報メッセージを用いてＭＢＭＳのＭＢＭＳ転送識別子を転送する（Ｓ１０）。該ＭＢＭＳサービス情報メッセージを受信した後に当該ＭＢＭＳを受信しようとするＵＥ１は、前記ＵＴＲＡＮからＭＢＭＳ１対多無線ベアラ（ＲＢ）情報を受信する（Ｓ１２）。
【００６２】
前記ＵＴＲＡＮ２は、前記ＭＢＭＳの転送された多重コード物理チャネルを構成するための多重チャネルコード情報を、前記ＭＢＭＳ１対多ＲＢ情報を用いて前記ＵＥ１に知らせる。前記多重チャネルコード情報は、前記ＭＢＭＳの転送された少なくとも２つの物理チャネル（ＳＣＣＰＣＨ）に割り当てられたコード情報を含む。
【００６３】
前記ＵＥ１は、自分に前記多重チャネルを用いて前記ＭＢＭＳを受信する性能があるか否かを確認する。もし、前記ＵＥが前記ＭＢＭＳを受信できるとしたら、ＵＥ１のＲＲＣ階層は、前記受信した多重チャネルコード情報を用いて２つ以上の物理チャネルを構成する（Ｓ１４）。
【００６４】
前記ＵＥ１は、前記多重コードを使用してＭＴＣＨデータを転送する物理チャネルを受信する（Ｓ１６）。前記ＵＥ１は、近隣セルの無線ベアラ情報を受信する場合に、２つ以上のセルから転送される物理チャネルを結合して受信することができる。
【００６５】
図８は、本発明の好ましい実施例によるＵＥ１において多重コードＳＣＣＰＣＨチャネルに関連した前記物理チャネルの構造を示す図である。ＭＴＣＨが転送されるためにＦＡＣＨにマッピングされる場合に、前記ＵＴＲＡＮ２の前記物理階層は、１つの符号化した混成転送チャネル（ＣＣＴｒＣＨ：Ｃｏｄｅｄ  Ｃｏｍｐｏｓｉｔｅ  Ｔｒａｎｓｐｏｒｔ  Ｃｈａｎｎｅｌ）にマッピングされる１つ以上のＦＡＣＨチャネルのＭＢＭＳデータを、前記多重チャネルコード情報を用いて構成された２つ以上の物理チャネルに分けて転送する。前記ＵＥ１は、転送フォーマット組合せ指示子（ＴＦＣＩ）情報を、多重化した２つ以上の物理チャネルのうちの１つの物理チャネルを介して獲得し、前記ＴＦＣＩ情報を用いて前記２つ以上の物理チャネルを受信する。
【００６６】
ＣＣＴｒＣＨに対する前記２つ以上の物理チャネルを受信した前記ＵＥ１は、前記受信したデータを結合し、復号化（ｄｅｃｏｄｉｎｇ）及び多重化（ｍｕｌｔｉｐｌｅｘｉｎｇ）したのち該当のＦＡＣＨでデータを転送する。ＭＴＣＨデータは２つ以上の物理チャネルを介して転送及び受信されることができる。
【００６７】
図９Ａ及び９Ｂは、本発明の好ましい実施例による多重コード転送方式を示す図である。図９Ａは、１つのスロットにおいて前記ＭＢＭＳデータと共に転送されるパイロット信号及び前記ＴＦＣＩの例を示す図である。図９Ｂは、ＴＦＣＩ及び前記転送されたＭＢＭＳデータの一例を示す図である。図９Ａ及び図９Ｂは、１つのスロットに対する構造を示す図である。上記同一の構造は、前記ＳＣＣＰＣＨのいずれのスロットにも適用可能である。
【００６８】
前記ＴＦＣＩまたは前記パイロット信号のような物理チャネルに関する制御情報が前記ＭＢＭＳデータと共に転送される場合に、前記制御情報は、１つの物理チャネルを介して転送される。
【００６９】
上記の実施例は、３ＧＰＰ移動通信システムで適用可能であるが、これに限定されず、本発明は、ＰＤＡ（Ｐｅｒｓｏｎａｌ  Ｄｉｇｉｔａｌ  Ａｓｓｉｓｔａｎｔ）または移動通信インターフェースの設置されたＰＣ（Ｐｅｒｓｏｎａｌ  Ｃｏｍｐｕｔｅｒ）のための無線移動通信システムにも適用可能であるということは、当業者にとっては自明である。
【００７０】
しかも、本発明の領域は、ＵＭＴＳシステムの領域に限定されるわけはなく、本発明は、ＴＤＭＡ、ＣｄｍａまたはＦＤＭＡのような他の無線インターフェース及び物理チャネルを用いる他の移動通信システムにも適用可能である。
【００７１】
本発明は、ソフトウェア、ファームウエア、ハードウェアまたはこれらの組合せによって具現されることができる。特に、本発明は、コード、回路チップまたはＡＳＩＣのようなハードウェアロジックを用いて具現される、または、コンピュータプログラム言語を用いてハードディスク、フロッピー（登録商標）ディスク、テープのようなコンピュータ可読（ｃｏｍｐｕｔｅｒ−ｒｅａｄａｂｌｅ）保存媒体及び光学保存媒体、ＲＯＭまたはＲＡＭにおいてコードとして具現されることができる。
【００７２】
前記コンピュータ可読保存媒体に保存される前記コードは、転送媒体またはネットワーク上のファイルサーバーを通してプロセッサーによって接近及び処理が可能である。前記コードを保存する前記装置は、ネットワーク転送ライン、無線転送媒体、信号転送、無線信号及び赤外線信号のような無線転送媒体を含む。
【００７３】
図１０は、本発明の好ましい実施例による機能を遂行するための移動通信装置１００のブロックダイアグラムである。移動通信装置１００は、マイクロプロセッサーまたはデジタルプロセッサーのようなプロセシングユニットモジュール（ｐｒｏｃｅｓｓｉｎｇ  ｕｎｉｔ  ｍｏｄｕｌｅ）１１０、ＲＦモジュール（ＲＦ  ｍｏｄｕｌｅ）１３５、電力制御モジュール（ｐｏｗｅｒ  ｃｏｎｔｒｏｌ  ｍｏｄｕｌｅ）１０５、アンテナ（ａｎｔｅｎｎａ）１４０、バッテリー（ｂａｔｔｅｒｙ）１５５、ディスプレイモジュール（ｄｉｓｐｌａｙ  ｍｏｄｕｌｅ）１１５、キーパッド（ｋｅｙｐａｄ）１２０、ＲＯＭ、ＳＲＡＭ、またはフラッシュメモリー（ｆｌａｓｈ  ｍｅｍｏｒｙ）のような保存モジュール（ｓｔｏｒａｇｅ  ｍｏｄｕｌｅ）１３０、スピーカー（ｓｐｅａｋｅｒ）１４５及びマイクロホン（ｍｉｃｒｏｐｈｏｎｅ）１５０を備える。
【００７４】
ユーザーは、キーパッド１２０を用いて電話番号のような命令情報を入力する、または、マイクロホン１４５を用いて音声を活性化させる。プロセシングユニットモジュール１１０は、ユーザーにより要請された前記機能を遂行するために前記命令情報を受信したり処理する。前記機能を行うために、前記プロセシングユニットモジュール１１０は、前記保存モジュール１３０に保存されたデータを使用したり復旧し、ユーザーの便宜のために前記命令情報を表示し、前記復旧されたデータをディスプレイモジュール１１５に表示する。
【００７５】
プロセシングユニットモジュール１１０は、音声データを含む無線信号を転送するようにＲＦモジュール１３５に指示する。ＲＦモジュール１３５は、前記無線信号を送受信するためのトランシーバー（ｔｒａｎｓｃｅｉｖｅｒ）及びレシーバー（ｒｅｃｅｉｖｅｒ）を備え、これらの無線信号は、アンテナ１４０を通して送信及び受信される。前記無線信号を受信する場合に、ＲＦモジュール１３５は、プロセシングユニットモジュール１１０が基底帯域周波数信号を処理できるようにするために前記無線信号を基底帯域周波数信号に変換する。前記処理された信号は、スピーカー１４５または読取り可能な形態の情報としてユーザーに伝達される。
【００７６】
ＲＦモジュール１３５は、ネットワークからデータを受信する、または、移動通信装置１００により生成されたり測定された情報をネットワークに転送する。保存モジュール１３０は、移動通信装置１００により測定されたり生成された情報を保存する。プロセシングユニットモジュール１１０は、本発明が開示した方法を行うために前記受信されたデータまたは転送されるデータを処理する。
【００７７】
本発明の上記思想や領域を逸脱しない様々な変形及び変化が本発明から可能であるということは、当業者にとっては自明である。したがって、本発明は、添付の請求項とその均等の範囲内で提供されたいずれの変形及び変化をも含むことは当然である。
【００７８】
上記の実施例及び長所は例示的なものに過ぎず、本発明を制限するものとして解析されてはいけない。本発明の教示（ｔｅａｃｈｉｎｇ）は、他の形態の装置にも容易に適用されることができる。本発明の詳細な説明は、本発明を例示するためのもので、特許請求の範囲を限定するためのものではない。多くの選択事項、変形及び変更は当業者には自明なものである。特許請求の範囲において、機能式請求項（ｍｅａｎｓ−ｐｌｕｓ−ｆｕｎｃｔｉｏｎ）は上記の機能を果たす構造を説明するために意図されたもので、構造的均等だけではなく均等な構造も含む。
【図面の簡単な説明】
【００７９】
【図１】ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のネットワーク構造を示すブロックダイアグラムである。
【図２】３ＧＰＰ（３ｒｄ  Ｇｅｎｅｒａｔｉｏｎ  Ｐａｒｔｎｅｒｓｈｉｐ  Ｐｒｏｊｅｃｔ）無線接続網規格を基盤とするＵＥ１とＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）間の無線インターフェースプロトコル（Ｒａｄｉｏ  Ｉｎｔｅｒｆａｃｅ  Ｐｒｏｔｏｃｏｌ）の構造を示す図である。
【図３】一般のＵＥにおいてＭＢＭＳサービスのためのチャネル構成を示す図である。
【図４】一般のシステムにおいてＭＣＣＨ情報の転送方法を示す図である。
【図５】ＭＢＭＳサービスを提供する一般の方法を示す流れ図である。
【図６】一般のシステムにおいてＭＴＣＨを通したＭＳＭＢサービスの不連続的な転送方法を示す図である。
【図７】本発明の好ましい一実施例による方法を示す図である。
【図８】本発明の好ましい一実施例によるＵＥの多重コードＳＣＣＰＣＨチャネルと関連した物理チャネルの構造を示す図である。
【図９Ａ】本発明の好ましい一実施例による多重コード転送方式を示す図である。
【図９Ｂ】本発明の好ましい一実施例による多重コード転送方式を示す図である。
【図１０】本発明の好ましい一実施例による機能を行うための移動通信装置のブロックダイアグラムである。
【図１】
2008530895.tif 000003
【図２】
2008530895.tif 000004
【図３】
2008530895.tif 000005
【図４】
2008530895.tif 000006
【図５】
2008530895.tif 000007
【図６】
2008530895.tif 000008
【図７】
2008530895.tif 000009
【図８】
2008530895.tif 000010
【図９Ａ】
2008530895.tif 000011
【図９Ｂ】
2008530895.tif 000012
【図１０】
2008530895.tif 000013
【国際調査報告】
2008530895.tif 000014
2008530895.tif 000015
2008530895.tif 000016